(57)【要約】【課題】発電設備の電流の波形係数を改善し、力率と設備の利用率を向上させ、調波量を低減すると共に、低コスト、高信頼性、高変換効率の利点を有する電力フィードバック装置を提供する。【解決手段】３相又は多相交流電源、或は出力端子にインダクタンスが直列接続された３相又は多相交流電源であって、電力を発生させる交流入力電源と、それぞれの入力端子が前記交流入力電源の２相に接続され、交流入力電源により発生された２相交流電力を電力変換する複数の電力変換手段と、１次側が、電力網に接続された３相巻線で、２次側が、複数の電力変換手段の出力端子に接続された複数の３相巻線で、複数の電力変換手段により変換された交流電力を電力網にフィードバックする隔離変圧器と、を備える電力フィードバック装置。【選択図】図５
2011514798.tif 000002
【特許請求の範囲】
【請求項１】
３相又は多相交流電源、または出力端子にインダクタンスが直列接続された３相又は多相交流電源であって、
電力を発生させる交流入力電源と、
それぞれの入力端子が前記交流入力電源の２相に接続され、前記交流入力電源により発生された２相交流電力を電力変換する複数の電力変換手段と、
１次側が、電力網に接続された３相巻線で、２次側が、前記複数の電力変換手段の出力端子に接続された複数の３相巻線で、前記複数の電力変換手段により変換された交流電力を前記電力網にフィードバックする隔離変圧器と
を備えることを特徴とする電力フィードバック装置。
【請求項２】
前記電力変換手段は、
前記交流入力電源の単相交流電力を直流電力に変換する整流回路と、
入力端子が前記整流回路の出力端子に接続され、前記整流回路から出力される直流電力を交流電力に変換するサイリスタ３相フルブリッジ回路、または複数の入力端子が直列接続されたサイリスタ３相フルブリッジ回路列と
を含むことを特徴とする請求項１に記載の電力フィードバック装置。
【請求項３】
前記電力変換手段は、
前記整流回路と、前記サイリスタ３相フルブリッジ回路または複数の入力端子が直列接続されたサイリスタ３相フルブリッジ回路列との間に配置され、前記整流回路から出力される直流電力のフィルタリングと電流制限を行うインダクタンスをさらに含む
ことを特徴とする請求項２に記載の電力フィードバック装置。
【請求項４】
前記整流回路は、ダイオード整流ブリッジ回路またはサイリスタ整流ブリッジ回路であることを特徴とする請求項２に記載の電力フィードバック装置。
【請求項５】
前記整流回路は、ダイオード整流ブリッジ回路またはサイリスタ整流ブリッジ回路であることを特徴とする請求項３に記載の電力フィードバック装置。
【請求項６】
フィルタリングコンデンサと、遮断可能な半導体素子とから構成され、出力端子がインダクタンスに直列接続され、前記隔離変圧器の２次側の３相巻線に接続されるか、または前記電力変換手段の出力端子に接続されるか、または隔離コンデンサを介して前記電力変換手段の出力端子に接続されるか、または隔離コンデンサを介して前記隔離変圧器の２次側の３相巻線に接続され、前記隔離変圧器の１次側の電流の力率と調波を補う少なくとも１つのＰＷＭ３相インバータブリッジ回路をさらに備えることを特徴とする請求項１乃至５のいずれか一項に記載の電力フィードバック装置。
【請求項７】
前記遮断可能な半導体素子は、ＩＧＢＴまたはＩＧＣＴであることを特徴とする請求項６に記載の電力フィードバック装置。
【請求項８】
前記隔離変圧器は、１次巻線が並列接続された複数の３相巻線である分割型変圧器または、２次巻線が移相巻線方式を用いた移相変圧器であることを特徴とする請求項１、２、３、４、５、又は７のいずれか一項に記載の電力フィードバック装置。
【請求項９】
前記隔離変圧器は、１次巻線が並列接続された複数の３相巻線である分割型変圧器または、２次巻線が移相巻線方式を用いた移相変圧器であることを特徴とする請求項６に記載の電力フィードバック装置。
【発明の詳細な説明】
【関連出願の参照】
【０００１】
本出願は、２００８年３月１８日に中国特許庁へ出願された発明の名称「電力フィードバック装置」の中国特許出願（出願番号：２００８１００８４６９２．７）の優先権を主張し、そのすべての内容を本出願に援用する。
【技術分野】
【０００２】
本発明は、電力電子技術に関し、特に電力フィードバック装置（ｐｏｗｅｒ  ｆｅｅｄｂａｃｋ  ｄｅｖｉｃｅ）に関する。
【背景技術】
【０００３】
風力発電、太陽光発電、潮流エネルギー発電などの再生可能エネルギーの発電への利用は、ますます注目されている。これら新エネルギーの発電システムは、発電設備が分散され、単体容量が小さく、分布面積が広く、出力電圧・電流が安定していない特徴で共通している。そこで、如何にこれらの再生可能エネルギーの発電設備から得る電力を効率的に、信頼性を持って、低コストで電力網にフィードバックし、発電設備から得る電力を、産業と民用に直接利用可能な３相電力に変換するのかは、中国ないし全世界範囲に至って、早急に解決しなければならない問題となっている。
【０００４】
従来の風力発電による電力フィードバック装置には、交流励磁巻線型回転子ダブルフィードモータ（ｄｏｕｂｌｅ−ｆｅｄ  ｍｏｔｏｒ）変速・定周波数風力発電システム（ＡＣ  ｅｘｃｉｔｅｄ  ｗｏｕｎｄ  ｒｏｔｏｒ  ｄｏｕｂｌｅ−ｆｅｄ  ｇｅｎｅｒａｔｏｒ  ｖａｒｉａｂｌｅ−ｓｐｅｅｄ  ｃｏｎｓｔａｎｔ−ｆｒｅｑｕｅｎｃｙ  ｗｉｎｄ  ｐｏｗｅｒ  ｇｅｎｅｒａｔｉｏｎ  ｓｙｓｔｅｍ）が使用されている。このシステムでは、回転子側の電力コンバーターによりダブルフィードモータの交流励磁電流を調節することで、発電機の固定子巻線から電力を生成し、電力網に直接フィードバックする。ダブルフィード発電機システムの特徴により、低圧で四象限動作可能な電力コンバータ、例えば、四象限動作可能なＡＣ／ＤＣ／ＡＣ両レベル周波数変換器が必要であることが多い。図１は、従来の四象限動作可能なＡＣ／ＤＣ／ＡＣ両レベル周波数変換器の原理を示す図である。図１に示すように、この周波数変換器は、すべり電力（ｓｌｉｐ  ｐｏｗｅｒ）のみを取り扱うもので、通常、定格電力が発電機の容量の１／３程度であり、低圧コンバータであるため、コンバータのコスト、大きさが大幅に縮小される。しかしながら、発電機が巻線型の回転子を用いているため、またスリップリング（ｓｌｉｐ  ｒｉｎｇ）交流励磁により、発電機の大きさ及びコストが増加され、スリップリングを使用することにより、発電機の故障率が高くなり、メンテナンス費用も高くなるという問題点がある。
【０００５】
従来の他の風力発電による電力フィードバック装置には、永久磁石発電機を用いた、変速・定周波数風力発電システムが用いられている。該技術案では、ファン羽根車の回転により、永久磁石発電機が回転され、生成された電力が電力コンバータにより周波数変換と変調を経て、電力網に適合する３相交流電力に変換され、電力網にフィードバックされる。このように、変速・定周波数の発電が実現される。図２は、従来の永久磁石発電機の変速・定周波数風力発電システムの原理図であり、図３は、従来の他の永久磁石発電機の変速・定周波数風力発電システムの原理図である。図２、図３に示すように、該技術案により、上記の風力発電システムの発電機の信頼性の問題が解決され、システム全体の動作故障率が低減するものの、コンバータの電力が発電機の電力と同等であり、多数の電解コンデンサーを使用する必要があるため、コンバーターのコストが高くなるとともに、電流変換装置の体積が増大する。図４は、従来の電流型コンバータを用いた変速・定周波数風力発電システムの原理図である。図４に示すように、このシステムでは、電力セミアクティブ制御可能な（ｓｅｍｉ−ｃｏｎｔｒｏｌｌａｂｌｅ）半導体素子であるサイリスタ（ｔｈｙｒｉｓｔｏｒ）を用いており、コストが低い。但し、ネットワーク側の調波による汚染がひどく、力率が小さいため、また調波を処理する装置を別途追加する必要がある。その結果、総費用が高くなる。
【発明の概要】
【発明が解決しようとする課題】
【０００６】
本発明は、従来技術において、調波による汚染がひどく、力率が低い欠点を解決するために、発電設備の電流の波形係数を改善し、力率と設備の利用率を向上させ、調波量を低減すると共に、低コスト、高信頼性、高変換効率の利点を有する電力フィードバック装置を提供することを目的とする。
【課題を解決するための手段】
【０００７】
本発明に係る電力フィードバック装置は、
３相又は多相交流電源、または出力端子にインダクタンスが直列接続された３相又は多相交流電源であって、電力を発生する交流入力電源と、
それぞれの入力端子が前記交流入力電源の２相に接続され、前記交流入力電源により発生された２相交流電力を電力変換する複数の電力変換手段と、
１次側が、電力網に接続された３相巻線で、２次側が、前記複数の電力変換手段の出力端子に接続された複数の３相巻線で、前記複数の電力変換手段により変換された交流電力を前記電力網にフィードバックする隔離変圧器と、を備える。
【０００８】
ここで、電力変換手段は、
前記交流入力電源の単相交流電力を直流電力に変換する整流回路と、
入力端子が前記整流回路の出力端子に接続され、前記整流回路から出力される直流電力を交流電力に変換するサイリスタ３相フルブリッジ回路、または複数の入力端子が直列接続されたサイリスタ３相フルブリッジ回路列とを含むことができる。
【０００９】
前記電力変換手段は、前記整流回路と、前記サイリスタ３相フルブリッジ回路または複数の入力端子が直列接続されたサイリスタ３相フルブリッジ回路列との間に配置され、前記整流回路から出力される直流電力のフィルタリングと電流制限を行うインダクタンスをさらに含んでもよい。
【００１０】
前記整流回路は、ダイオード整流ブリッジ回路またはサイリスタ整流ブリッジ回路であってもよい。
【００１１】
ここで、該電力フィードバック装置は、
フィルタリング・コンデンサと、遮断可能な半導体素子とから構成され、出力端子がインダクタンスに直列接続され、前記隔離変圧器の２次側の３相巻線に接続されるか、または前記電力変換手段の出力端子に接続されるか、または隔離コンデンサを介して前記電力変換手段の出力端子に接続されるか、または隔離コンデンサを介して前記隔離変圧器の２次側の３相巻線に接続され、前記隔離変圧器の１次側の電流の力率と調波を補う少なくとも１つのＰＷＭ３相インバータブリッジ回路をさらに備えてもよい。
【００１２】
前記遮断可能な半導体素子は、ＩＧＢＴまたはＩＧＣＴなどその他のものであってもよい。
【００１３】
当該電力フィードバック装置の隔離変圧器は、１次巻線が並列接続された複数の３相巻線である分割型変圧器または、２次巻線が移相巻線方式を用いた移相変圧器であってもよい。
【発明の効果】
【００１４】
本発明の電力フィードバック装置は、発電設備から得られる３相または多相交流電力のいずれかの２相交流電力をそれぞれ電力変換することにより、発電設備の電流の波形係数を改善し、力率と設備の利用率を向上させる。また、当該装置は、隔離変圧器の２次側の複数巻線により、それぞれ異なる電圧レベルの電力網に適合可能で、電力網にフィードバックされる電流の波形係数を向上させ、調波量を低減することができ、高変換効率、高動作信頼性、長寿命で、普及及びメンテナンスがしやすい利点を有する。
【図面の簡単な説明】
【００１５】
【図１】従来の四象限動作可能なＡＣ／ＤＣ／ＡＣ両レベル周波数変換器の原理図である。
【図２】従来の永久磁石発電機の変速・定周波数の風力発電システムの原理図である。
【図３】従来の他の永久磁石発電機の変速・定周波数の風力発電システムの原理図である。
【図４】従来の電流型コンバータを用いた変速・定周波数風力発電システムの原理図である。
【図５】本発明の電力フィードバック装置の実施形態１の原理図である。
【図６】本発明の電力フィードバック装置の実施形態に係る３相交流電源の第１原理図である。
【図７】本発明の電力フィードバック装置の実施形態に係る３相交流電源の第２原理図である。
【図８】本発明の電力フィードバック装置の実施形態における複数の電力変換手段の２相交流電源へ並列接続される場合の原理図である。
【図９】本発明の電力フィードバック装置の実施形態２の原理図である。
【図１０】本発明の電力フィードバック装置の実施形態に係るダイオード整流ブリッジの原理図である。
【図１１】本発明の電力フィードバック装置の実施形態に係るサイリスタ整流ブリッジの原理図である。
【図１２】本発明の電力フィードバック装置の実施形態に係る出力端子にインダクタンスが直列接続されたサイリスタ整流ブリッジの原理図である。
【図１３】本発明の電力フィードバック装置に係るサイリスタ３相フルブリッジ回路の原理図である。
【図１４】本発明の電力フィードバック装置の実施形態におけるＰＷＭ３相インバータブリッジ回路と電力変換手段との接続を示す原理図である。
【図１５】本発明の電力フィードバック装置の実施形態において、ＰＷＭ３相インバータブリッジ回路が隔離コンデンサを介して電力変換手段に接続する場合の原理図である。
【図１６】本発明の電力フィードバック装置の実施形態に係るＩＧＢＴを用いたＰＷＭ３相インバータブリッジ回路の原理図である。
【図１７】本発明の電力フィードバック装置の実施形態に係る分割型移相巻線方式を用いた隔離変圧器の原理図である。
【発明を実施するための形態】
【００１６】
以下、図面と実施形態と合わせ、本発明を更に詳細に説明する。
【００１７】
図５は、本発明の電力フィードバック装置の実施形態１の原理図である。図５に示すように、該電力フィードバック装置は、３相又は多相交流電源、又は出力端子にインダクタンスが直列接続された３相又は多相交流電源であって、電力を発生する交流入力電源１１と、それぞれの入力端子が交流入力電源１１の２相に接続され、交流入力電源１１により発生された２相交流電力を電力変換する複数の電力変換手段１２と、１次側が、電力網に接続された３相巻線で、２次側が、複数の電力変換手段１２の出力端子に接続された複数の３相巻線で、複数の電力変換手段１２により変換された交流電力を電力網にフィードバックする隔離変圧器１３と、を備える。
【００１８】
ここで、交流入力電源１１は、風力発電設備、太陽光発電設備又は潮流エネルギー発電設備などの再生可能エネルギーの発電設備であってもよく、交流電力を発生させる設備によって、３相交流電力、６相交流電力またはその他の多相交流電力を発生させることが可能である。また、電力変換手段１２の数も交流入力電源１１の相数に応じて異なる。以下、３相交流電力を例に説明する。図６は、本発明の電力フィードバック装置の実施形態に係る３相交流電源の第１原理図である。３相交流電源から出力される電流をより安定するように、３相交流電源の出力端子のそれぞれにインダクタンスを直列接続してもよい（図７を参照）。図７は、本発明の電力フィードバック装置の実施形態に係る３相交流電源の第２原理図である。３つの電力変換手段１２のそれぞれが、３相交流入力電源１１のいずれか２相に接続される。具体的には、３相交流入力電源１１のＡＢ相、ＢＣ相、ＡＣ相のそれぞれが、１つの電力変換手段１２の入力端子に接続され、電力変換手段１２の出力端子が、隔離変圧器１３の２次側の１つの３相巻線にそれぞれ接続される。これらの電力変換手段１２は、交流入力電源１１のいずれかの２相交流電力を整流フィルタリングした後、整流フィルタリングされた直流電力を交流電力に変換することで、交流入力手段１１のいずれかの２相交流電力の電力変換を実現することができるが、これに限定されるものではない。これにより、容量の小さい電力変換手段１２により交流入力電源１１の出力電力を大きく変換し、隔離変圧器１３の２次側の複数の３相巻線により、複数の電力変換手段１２で変換された３相または多相交流電力を１次側にカップリングし、最後に１次側の３相巻線と電力網の接続線により３相または多相交流電力を電力網にフィードバックする。ここで、交流入力電源１１のいずれか２相を、並列接続された２つ又は２つ以上の電力変換手段１２に接続してもよい。並列接続される電力変換手段１２の数は、交流入力電源１１の容量によって決まる。その容量が大きいと、複数の電力変換手段１２を用いることができる。このような交流入力電源１１のいずれか２相に複数の電力変換手段１２を並列接続する方式は、大きな容量を有する発電設備に適し、容量の小さい電力変換手段１２で、大きな出力電力を得ることができる（図８を参照）。図８は、本発明の電力フィードバック装置の実施形態における複数の電力変換手段の２相交流電源へ並列接続される場合の原理図である。
【００１９】
本発明の提供する電力フィードバック装置は、発電設備により発生される３相または多相交流電力のいずれかの２相交流電力をそれぞれ電力変換することにより、発電設備の電流の波形係数を改善し、力率と設備の利用率とを向上させる。また、当該装置は、隔離変圧器の２次側の複数巻線により、異なる電圧レベルの電力網に適合可能であり、電力網にフィードバックされる電流の波形係数と力率を向上させる。
【００２０】
図９は、本発明の電力フィードバック装置に係る実施形態２の原理図である。図９に示すように、該電力フィードバック装置は、交流入力電源１１と、複数の電力変換手段１２と、隔離変圧器１３と備える。また、該装置は、少なくとも１つのパルス幅変調（Ｐｕｌｓｅ  Ｗｉｄｔｈ  Ｍｏｄｕｌａｔｉｏｎ、以下、「ＰＷＭ」と略称する）３相インバータブリッジ回路１４を更に備えてもよい。ＰＷＭ３相インバータブリッジ回路１４は、フィルタリングコンデンサと、遮断可能な半導体素子とから構成され、出力端子がインダクタンスに直列接続されて、隔離変圧器１３の２次側の３相巻線に接続され、又は電力変換手段１２の出力端子に接続され、又は隔離コンデンサを介して電力変換手段１２の出力端子に接続され、又は隔離コンデンサを介して隔離変圧器１３の２次側の３相巻線に接続され、隔離変圧器１３の１次側の電流の力率と調波を補うのに用いられる。さらに、電力変換手段１２は、交流入力電源１１の単相交流電力を直流電力に変換する整流回路と、入力端子が整流回路の出力端子に接続され、整流回路から出力される直流電力を交流電力に変換するサイリスタ３相フルブリッジ回路、または複数の入力端子が直列接続されたサイリスタ３相フルブリッジ回路列とを備えることができる。当該電力変換手段１２は、整流回路と、サイリスタ３相フルブリッジ回路または複数の入力端子が直列接続されたサイリスタ３相フルブリッジ回路列との間に配置され、整流回路から出力される直流電力のフィルタリングと電流制限を行うインダクタンスを更に備えてもよい。
【００２１】
ここで、整流回路として、図１０に示すように、ダイオード整流ブリッジ回路が用いられる。図１０は、本発明の電力フィードバック装置の実施形態に係るダイオード整流ブリッジの原理図である。整流回路の可制御性をより一層向上させるために、整流回路として、図１１に示すように、サイリスタ整流ブリッジ回路を用いてもよい。図１１は、本発明の電力フィードバック装置の実施形態に係るサイリスタ整流ブリッジの原理図である。サイリスタ整流回路を用いると、電圧を調節することができ、回路の可制御性が実現される。そして、更に整流回路の出力端子にインダクタンスを接続することにより、整流回路から出力される直流電力のフィルタリングと電流制限を実現してもよい。整流回路がサイリスタ整流ブリッジ回路である場合について、図１２に示す。図１２は、本発明の電力フィードバック装置の実施形態における出力端子にインダクタンスが直列接続されたサイリスタ整流ブリッジの原理図である。図１３は、本発明の電力フィードバック装置の実施形態に係るサイリスタ３相フルブリッジ回路の原理図である。図１３に示すように、サイリスタ３相フルブリッジ回路は、６個のサイリスタを２個ずつ直列接続し、３つのブリッジアームを形成し、これら３つのブリッジアームを並列に接続して構成されたものであり、インダクタンスによりフィルタリングされた直流電力を交流電力に変換する。また、レベルの異なる複数のサイリスタ３相フルブリッジ回路を直列に接続することにより、異なる電圧レベルの発電設備に適合させ、フィードバックの力率を向上させることもできる。
【００２２】
該電力フィードバック装置には、隔離変圧器１３の１次側の電流の力率と調波を補うために、少なくとも１つのＰＷＭ３相インバータブリッジ回路１４を追加してもよい。該ＰＷＭ３相インバータブリッジ回路１４は、フィルタリングコンデンサと遮断可能な半導体素子とを接続して構成されることができる。ＰＷＭ３相インバータブリッジ回路１４は、直流側がフィルタリングコンデンサに接続され、交流側の３相引出端子が、フィルタリングと電流制限のための３つの出力インダクタンスのそれぞれに接続され、隔離変圧器１３の２次側の１つの３相巻線に接続されてもよく、隔離コンデンサを介して隔離変圧器１３の２次側の３相巻線に接続されてもよい。また、図１４に示すように、複数の出力端子にインダクタンスが直列接続されたＰＷＭ３相インバータブリッジ回路１４を、複数の電力変換手段１２の出力端子のそれぞれに接続してもよい。図１４は、本発明の電力フィードバック装置の実施形態に係るＰＷＭ３相インバータブリッジ回路と電力変換手段との接続を示す原理図である。また、図１５に示すように、ＰＷＭ３相インバータブリッジ回路１４の出力端子のそれぞれを、隔離コンデンサを介して電力変換手段１２の出力端子に接続してもよい。図１５は、本発明の電力フィードバック装置の実施形態において、ＰＷＭ３相インバータブリッジ回路が隔離コンデンサを介して電力変換手段に接続する場合の原理図である。ＰＷＭ３相インバータブリッジ回路１４の交流側の電流を調節することにより、隔離変圧器１３の１次側の電流の力率と調波を補うことが可能である。
【００２３】
ＰＷＭ３相インバータブリッジ回路１４における遮断可能な半導体素子としては、絶縁ゲートバイボーラトランジスタ（Ｉｎｓｕｌａｔｅｄ  Ｇａｔｅ  Ｂｉｐｏｌａｒ  Ｔｒａｎｓｉｓｔｏｒ、以下は、「ＩＧＢＴ」と略称する）または集積ゲート転流型サイリスタ（Ｉｎｔｅｒｇｒａｔｅｄ  Ｇａｔｅ  Ｃｏｍｍｕｔａｔｅｄ  Ｔｈｙｒｉｓｔｏｒｓ、以下は、「ＩＧＣＴ」と略称する）を用いてもよく、その他の遮断可能な半導体素子であってもよい。図１６は、本発明の電力フィードバック装置の実施形態に係るＩＧＢＴを用いたＰＷＭ３相インバータブリッジ回路の原理図である。図１６に示すように、当該回路は、６個のＩＧＢＴを２個ずつ直列接続し、３つのブリッジアームを形成し、これらの３つのブリッジアームを並列接続することにより構成され、直流側の正、負端子にフィルタリングコンデンサが並列に接続され、６個のＩＧＢＴのオン・オフ制御により、交流側の電流を制御する。
【００２４】
該電力フィードバック装置の隔離変圧器１３は、２次巻線の短絡インピーダンスが対称に分布するように、１次巻線が並列接続された複数の３相巻線からなる分割型変圧器であることが可能である。隔離変圧器１３は、図１７に示すように、２次巻線が移相巻線方式を用いた移相変圧器であってもよい。図１７は、本発明の電力フィードバック装置の実施形態に係る分割型移相巻線方式を用いた隔離変圧器の原理図である。隔離変圧器１３は、複数個並列に接続された１次巻線を含み、複数の２次巻線が三角（△）結線または千鳥（ジグザグ）結線方式を用いることができ、異なる２次巻線については異なる移相角度を設定することができる。分割型移相変圧器によれば、電力網にフィードバックされる電流の波形係数を向上させ、調波を低減することができる。
【００２５】
本発明の提供する電力フィードバック装置は、発電設備の発生する３相または多相交流電力のいずれかの２相交流電力をそれぞれ電力変換することにより、発電設備の電流の波形係数を改善し、力率と設備の利用率を向上させる。また、電力変換手段のメインスイッチとしてサイリスタを用いることにより、コストが低減し、信頼性が向上する。レベルの異なるサイリスタ３相フルブリッジ回路を直列に接続することにより、異なるレベルの発電設備に適用可能で、フィードバックの力率が向上する。また、当該装置は、隔離変圧器の２次側の複数巻線により、異なる電圧レベルの電力網に適合可能で、電力網にフィードバックされる電流の波形係数と力率を向上させ、電力網に無効電力（ｒｅａｃｔｉｖｅ  ｐｏｗｅｒ）を伝送することができる。これにより、発電設備は、出力端子の電流と電力網側の電流の正弦波化レベルが高く、高変換効率、高動作信頼性、長寿命で、普及とメンテナンスがしやすい利点を有する。
【００２６】
なお、上述した実施形態は、本発明を説明するものであり、本発明を限定するものではない。上記実施形態に合わせ、本発明を詳細に説明したが、これらの実施形態に対し、変形又はその構成要素の一部に対する置換を行うことは、当業者にとって自明なものである。このような変形や置換は、本発明の精神と範囲を逸脱するものではない。
【符号の説明】
【００２７】
１１  交流入力電源
１２  電力変換手段
１３  隔離変圧器
１４  ＰＷＭ３相インバータブリッジ回路
【図１】
2011514798.tif 000003
【図２】
2011514798.tif 000004
【図３】
2011514798.tif 000005
【図４】
2011514798.tif 000006
【図５】
2011514798.tif 000007
【図６】
2011514798.tif 000008
【図７】
2011514798.tif 000009
【図８】
2011514798.tif 000010
【図９】
2011514798.tif 000011
【図１０】
2011514798.tif 000012
【図１１】
2011514798.tif 000013
【図１２】
2011514798.tif 000014
【図１３】
2011514798.tif 000015
【図１４】
2011514798.tif 000016
【図１５】
2011514798.tif 000017
【図１６】
2011514798.tif 000018
【図１７】
2011514798.tif 000019
【国際調査報告】
2011514798.tif 000020
2011514798.tif 000021
2011514798.tif 000022
2011514798.tif 000023